(57)【要約】【課題】引き出し式貯氷室を備えた冷蔵庫で、採氷スコップの合理的収納を図り、貯氷容器の収納量増強を図る。【解決手段】貯氷容器２７の外側前面に採氷スコップ２８を収納し、扉２１の閉時に凹部２９に導入することにより貯氷領域を確保しながら、扉２１の開時に扉２１と貯氷容器２７の間に生じる空間より採氷スコップ２８を容易に取り出せる。【選択図】　図１
2004003780.tif 000002
【特許請求の範囲】
【請求項１】
引き出し式の扉により前面の開口部が開閉される冷凍室と、前記冷凍室内に備えた製氷皿と、前記製氷皿で生成される氷を貯氷し、前記扉の前方への引き出し動作に連動して庫外に引き出される貯氷容器と、前記貯氷容器内の氷の採取に使用する採氷スコップとを収納した冷蔵庫において、前記扉の内壁と前記貯氷容器との間に前記採氷スコップを配置し、前記扉の内壁に前記採氷スコップが収納可能な凹部を設けたことを特徴とする冷蔵庫。
【請求項２】
採氷スコップは貯氷容器の外側前面に着脱可能に配設したことを特徴とする請求項１記載の冷蔵庫。
【請求項３】
採氷スコップは、貯氷容器の外側前面に設けた把持可能なガイドに取り付けることを特徴とする請求項２記載の冷蔵庫。
【請求項４】
貯氷容器は引き出し扉に固定された支持部材に載置され、扉を引き出した時、前後方向に移動することで採氷スコップを着脱することを特徴とする請求項１から請求項３のいずれか一項に記載の冷蔵庫。
【請求項５】
冷凍室の扉を引き出した時、扉内壁と貯氷容器前面の間に空間が生じ、採氷スコップが扉の内壁の凹部から出て前記空間に位置することを特徴とする請求項４に記載の冷蔵庫。
【請求項６】
複数の貯氷領域に区画された貯氷容器と、前記貯氷容器に貯氷された氷の採取に使用する採氷スコップとを備え、前記貯氷領域における手前側の内壁面に前記採氷スコップを把持可能なガイドを設け、前記採氷スコップは、前記ガイドに取り付けたことを特徴とする冷蔵庫。
【請求項７】
引き出し式の扉により前面の開口部が開閉される冷凍室と、前記冷凍室内に備えた製氷皿と、前記製氷皿で生成される氷を貯氷する貯氷容器と、前記貯氷容器を載置して前記扉の前方への引き出し動作に連動して庫外に引き出される支持部材とを設けて、前記支持部材は一側面に設けたレール機構と他側面近傍の底面に設けたガイド機構により移動可能に構成されていることを特徴とする冷蔵庫。
【請求項８】
レール機構が摺動する内壁面の内部に、レール機構に対向して真空断熱材を配置したことを特徴とする請求項７に記載の冷蔵庫。
【発明の詳細な説明】
【０００１】
【発明が属する技術分野】
本発明は、製氷装置を備えた冷蔵庫に関するものである。
【０００２】
【従来の技術】
近年、冷蔵庫は、使い勝手の向上面より上段に冷蔵室、その下段に引き出し式の冷凍室を配置するものが支持され、なかでも冷凍室を上下２段に区分し、その上段に製氷装置を設けたものが主流になっている。
【０００３】
この例については、例えば特開平８−９４２２９号公報にその一例が示されている。以下、図面を参照しながら説明を行う。
【０００４】
図１３、図１４において、冷蔵庫本体には、上下を区画壁２で仕切られ引き出し扉４を備えた冷凍室（貯氷室）５が区画形成されている。６は冷凍室（貯氷室）５に設けた自動製氷機で、製氷皿７と製氷皿７を回動して離氷させる駆動装置８、貯氷量を検知する貯氷検知レバー９より構成される。
【０００５】
１０は製氷皿７の下方に配置した貯氷容器で、引き出し扉４の裏面に配置され一体に引き出されるよう構成されている。１１は貯氷容器１０の引き出し扉４側の内面に着脱可能に装着された採氷スコップである。
【０００６】
以上のように構成された冷蔵庫についてその動作を説明する。給水ポンプ（図示せず）によって製氷皿７に注水された水は、送風機（図示せず）よって冷凍室（貯氷室）５内に送り込まれた冷気によって凍結して氷になり、駆動装置８によって貯氷容器１０内に離氷されて貯氷されていく。
【０００７】
貯氷量が増えると貯氷検知レバー９によって満氷を検知し、以後の製氷作用が休止される。そして、使用者は、貯氷容器１０の引き出し扉４側の内面に装着された採氷スコップ１１を取り外し、貯氷容器１０内に溜まった氷をすくいとって利用するものである。
【０００８】
【発明が解決しようとする課題】
しかしながら従来の冷蔵庫では、採氷スコップ１１を貯氷容器１０の引き出し扉４側の内面に装着する構成になっているので、装着が不確実な場合に採氷スコップ１１を貯氷容器１０内に落下させてしまい、貯氷容器１０内に落下した採氷スコップ１１を取り出す時に、手が氷に触れて、手が冷たい、不衛生であるという問題や、貯氷容器１０内に落下した採氷スコップ１１に貯氷検知レバー９が当たって誤検知し、所定量の氷を貯氷ができないという問題や採氷スコップ１１における使用者の手に触れた部分が貯氷容器１０内の氷と接触する虞があり不衛生であるという問題があった。
【０００９】
また、採氷スコップ１１を貯氷容器１０内に装着する構成のために、貯氷容器１０内に貯氷できる氷の量が採氷スコップ１１の分だけ少なくなるという問題があった。
【００１０】
さらに、製氷皿７を例えば複数備えて製氷容量を増強するケースなどにおいては、従来の貯氷領域より大きなスペースが必要であるが、特に貯氷容器１０の幅方向の寸法を拡大すると他の収納スペースを侵害することで、冷蔵庫の収納性が低下してしまうという問題点があった。
【００１１】
本発明は、上記従来の課題を解決するもので、採氷スコップのより好ましい配置構成を提供し、使い勝手の向上とスペースの有効利用を図り、かつ衛生面への配慮をすることを目的としている。
【００１２】
また、貯氷容量の増加に対して他の収納スペースへの影響を小さくして貯氷容器を拡幅することを目的としている。
【００１３】
【課題を解決するための手段】
本発明の請求項１に記載の冷蔵庫の発明は、引き出し式の扉により前面の開口部が開閉される冷凍室と、前記冷凍室内に備えた製氷皿と、前記製氷皿で生成される氷を貯氷し、前記扉の前方への引き出し動作に連動して庫外に引き出される貯氷容器と、前記貯氷容器内の氷の採取に使用する採氷スコップとを収納した冷蔵庫において、前記扉の内壁と前記貯氷容器との間に前記採氷スコップを配置し、前記扉の内壁に前記採氷スコップが収納可能な凹部を設けたものであり、扉の内壁と貯氷容器との間に採氷スコップを配置して凹部に収納するので、装着不良で採氷スコップを貯氷容器内に落下させてしまうことはなく、扉を閉じた状態で貯氷容器が扉の内壁に接近しているように構成すれば、無駄なスペースが減り、貯氷容器の貯氷量を増やすことができ、衛生的に保持できる、という作用を有する。
【００１４】
請求項２に記載の冷蔵庫の発明は、請求項１記載の発明において、採氷スコップは貯氷容器の外側前面に着脱可能に配設したものであり、採氷スコップを容易に取り出せる、という作用を有する。
【００１５】
請求項３に記載の冷蔵庫の発明は、請求項２記載の発明において、採氷スコップは、貯氷容器の外側前面に設けた把持可能なガイドに取り付けるものであり、採氷スコップを、貯氷容器の外側前面に設けたガイドに取り付けるという作業で、採氷スコップを、貯氷容器の外側前面に配設することができ、貯氷容器のガイドの扉側への出っ張りは、小さくできるので、扉の内壁の凹部を、採氷スコップに合わせて小さくでき、扉の内壁の凹部による断熱性能の低下を抑えることができる、という作用を有する。
【００１６】
請求項４に記載の冷蔵庫の発明は、請求項１から請求項３のいずれか一項に記載の発明において、貯氷容器は引き出し扉に固定された支持部材に載置され、扉を引き出した時、前後方向に移動することで採氷スコップを着脱するものであり、貯氷容器が扉の内壁から離れている時には、採氷スコップは扉の内壁の凹部の外に出ている。したがって、採氷スコップを使用する時に、貯氷容器を扉の内壁から離れた位置に移動させることにより、採氷スコップを容易に取り出せる。また、扉を開いた時に貯氷容器が扉の内壁から離れるように構成すれば、採氷スコップを扉の凹部の外に出すことができ、採氷スコップを貯氷容器の外側前面に設けた収容部に収容するという簡単で失敗の少ない作業で、採氷スコップを、貯氷容器の外側前面に配設することができる、という作用を有する。
【００１７】
請求項５に記載の冷蔵庫の発明は、請求項４に記載の発明において、冷凍室の扉を引き出した時、扉内壁と貯氷容器前面の間に空間が生じ、採氷スコップが扉の内壁の凹部から出て前記空間に位置するものであり、扉を引き出す動作だけで採氷スコップを扉の凹部の外に出すことができ、採氷スコップを容易に取り出せる、という作用を有する。
【００１８】
請求項６に記載の冷蔵庫の発明は、複数の貯氷領域に区画された貯氷容器と、前記貯氷容器に貯氷された氷の採取に使用する採氷スコップとを備え、前記貯氷領域における手前側の内壁面に前記採氷スコップを把持可能なガイドを設け、前記採氷スコップは、前記ガイドに取り付けたものであり、複数の貯氷領域内の貯氷していない貯氷領域もしくは氷の利用が少ない貯氷領域のガイドに採氷スコップを取り付けることにより、貯氷容器における無駄に使われている領域を有効活用できる、という作用を有する。
【００１９】
請求項７に記載の冷蔵庫の発明は、引き出し式の扉により前面の開口部が開閉される冷凍室と、前記冷凍室内に備えた製氷皿と、前記製氷皿で生成される氷を貯氷する貯氷容器と、前記貯氷容器を載置して前記扉の前方への引き出し動作に連動して庫外に引き出される支持部材とを設けて、前記支持部材は一側面に設けたレール機構と他側面近傍の底面に設けたガイド機構により移動可能に構成されているものであり、レール機構が支持部材の両側面に突出しない分貯氷容器の幅を大きくでき収納量の大きな貯氷容器を確保できる、という作用を有する。
【００２０】
請求項８に記載の冷蔵庫の発明は、請求項７に記載の発明において、レール機構が摺動する内壁面の内部に、レール機構に対向して真空断熱材を配置したものであり、支持部材が埋設されて薄くなった内壁部からの熱侵入を防ぐことができる、という作用を有する。
【００２１】
【発明の実施の形態】
以下、本発明による冷蔵庫の実施の形態について、図面を参照しながら説明する。なお、従来と同一構成については、同一符号を付して詳細な説明を省略する。
【００２２】
（実施の形態１）
図１は本発明による実施の形態１の冷蔵庫の冷凍室（貯氷室）の要部縦断面図である。図２は同実施の形態の冷蔵庫の冷凍室（貯氷室）の引き出し式扉と支持部材の斜視図である。図３は同実施の形態の冷蔵庫の冷凍室（貯氷室）の引き出し式扉の支持部材に貯氷容器を載置した状態を上から見た上面図である。図４は同実施の形態の冷蔵庫における製氷室の側面図である。図５は同実施の形態の冷蔵庫における貯氷容器の斜視図である。
【００２３】
図１において、冷蔵庫本体には、上下を区画壁２０で仕切られ引き出し扉２１を備えた冷凍室（貯氷室）２２が区画形成されている。２３は冷凍室（貯氷室）２２に設けた自動製氷機で、可塑性樹脂のポリプロピレンで成形され左右に２つ並べて配置された製氷皿２４を回動して離氷させる駆動装置２５、貯氷量を検知する貯氷検知レバー２６より構成される。
【００２４】
２７は製氷皿２４の下方に配置した貯氷容器で、引き出し扉２１の裏面に配置され一体に引き出されるよう構成されている。２８は貯氷容器２７の引き出し扉２１側の内面に着脱可能に装着された採氷スコップである。
【００２５】
以上のように構成された冷蔵庫についてその動作を説明する。給水ポンプ（図示せず）によって製氷皿２４に注水された水は、送風機（図示せず）よって冷凍室（貯氷室）２２内に送り込まれた冷気によって凍結して氷になり、駆動装置２５によって貯氷容器２７内に離氷されて貯氷されていく。
【００２６】
貯氷量が増えると貯氷検知レバー２６によって満氷を検知し、以後の製氷作用が休止される。そして、使用者は、貯氷容器２７の引き出し扉２１側の内面に装着された採氷スコップ２８を取り外し、貯氷容器２７内に溜まった氷をすくいとって利用するものである。
【００２７】
図２において、２９は扉２１の断熱壁内面に形成された凹部であり、３０は貯氷容器２７を載置している支持部材である。
【００２８】
図３において、３１は貯氷容器２７外側前面に形成された収納スペースである。
【００２９】
図４において、３３は貯氷容器２７を先に停止するための、ガイド部で溝３３ａとストッパー３３ｂを形成している。貯氷容器２７には、ガイド部３３の溝３３ａの中を滑ることのできる突片部３４と停止部３５を配設してある。
【００３０】
図５において、３６は採氷スコップ２８を収納する貯氷容器２７の外側前面に設けられた凸部である。
【００３１】
以上のように構成された冷蔵庫について、以下その動作を説明する。
【００３２】
製氷皿２４で氷が生成されると自動製氷装置により貯氷容器２７へ脱氷する。
【００３３】
脱氷された氷を取り出すために、引き出し式扉２１を引き出すと、引き出し式扉２１に一体に取り付けられている支持部材３０が連動し、支持部材３０に載置している貯氷容器２７は引き出される。
【００３４】
最初、貯氷容器２７はストッパー３３ｂに突片部３４がはまり込み、引き出し式扉２１と同時に引き出されるが、貯氷容器２７の停止部３５が庫内の爪（図示せず）にあたり、貯氷容器２７が停止の後、更に採氷スコップ２８を取り出せる引き出し代だけ、引き出し式扉２１は引き出され全開状態となり、採氷スコップ２８を取り出すことができる。脱氷された氷は、採氷スコップ２８により使用者が利用したい容器に入れられる。
【００３５】
引き出し扉２１を閉める場合、引き出し式扉２１を普通に庫内に押し入れる動作でよく、完全に閉まった状態で貯氷容器２７の突片部３４がガイド３３に設けられたストッパー３３ｂに収まる。収納時、採氷スコップ２８を収納している貯氷容器２７の外側前面の凸部３６には、採氷スコップ２８が取り付けられるようになっている。
【００３６】
採氷スコップ２８を収納した、凸部３６は、扉２１に設けられた凹部２９と嵌合して収納している。また、採氷スコップ２８は、採氷スコップ２８の上位線が、貯氷容器２７の最上面より低い位置で取り付けられる。
【００３７】
以上のように本実施の形態の冷蔵庫は、引き出し式冷凍室扉２１の断熱部の内壁に採氷スコップ２８を取り付ける凹部２９収納スペースを設けたので、冷凍室扉２１の断熱部で、侵入熱の影響の少ない部分に凹２９部を設けることにより、採氷スコップ２８を断熱部に取り付けることができ、冷凍室２２の空間を広く利用することができる。また、中央に凹部２９を設けることにより、扉２１の断熱部の内壁の上面をえぐる必要もなく、扉２１を閉じた状態で上部ガスケット部から侵入する熱量も低減できる。
【００３８】
また、採氷スコップ２８を貯氷容器２７の外側前面に配設しているので、使用者が氷を利用しないときに採氷スコップ２８は、貯氷容器２７の外側前面に収納され、採氷スコップ２８が貯氷領域内に扉２１開閉などの衝撃で混入したり、使用者によって貯氷容器２７内に放置されることがなくなり貯氷検知の妨害がなくなり誤動作がなくなる。
【００３９】
また、使用者の手に触れる採氷スコップ２８は貯氷容器２７内に放置されることがなく、氷に対して汚れや雑菌などが付着しないため衛生的である。
【００４０】
また、採氷スコップ２８は貯氷容器２７外前部のケース上面より低い位置に設置しているので、採氷スコップ２８を取り付けたときに貯氷容器２７のケース上面より飛び出して配設されることがないため、扉２１が閉の状態で採氷スコップ２８により扉２１に隙が起こることもなく、常に高品質の性能を確保できる。
【００４１】
また、貯氷容器２７の外側前面に、扉２１の収納スペースに係合できるように、採氷スコップ２８を収容できる上部が開口している凸部３６領域を設け、貯氷容器２７の凸部３６領域に採氷スコップ２８を収容するものであり、貯氷容器２７内の氷を採氷しないときは、貯氷容器２７外側前面に取り付けられている凸部３６に採氷スコップ２８を簡便に収容できるので、採氷スコップ２８は簡便に収容されることができる。
【００４２】
また、収容スペースの形状を採氷スコップ２８のスプーン部分の形状に沿った構成にしておれば、採氷スコップ２８の収納は、構造上滑り落とせる仕様となり、簡単に収容できる。また、自然と元の位置にはめ込まれるので、引き出し扉２１を閉めた状態でも扉２１の凹部２９にあたることはない。
【００４３】
また、貯氷容器２７外側前面に配設している、採氷スコップ２８は扉２１の閉の状態では、扉２１の断熱部の内壁に設けられた凹部２９収納スペースに嵌合するものであり、貯氷容器２７の前面と扉２１の内壁とをできるだけ接近して貯氷容器２７を配設できるので、貯氷容器２７の容量をできるだけ大きくとれる。また、採氷スコップ２８は、採氷スペースに扉２１を閉めたときに貯氷容器２７外側前面に取り付けられたスコップによって、扉２１が閉まらないと言うこともなく、扉２１隙により性能が劣化することもない。
【００４４】
また、引き出し式扉２１と支持部材３０は一体となり、引き出し式扉２１の開閉とともに支持部材３０に載置している貯氷容器２７も引き出され、且つ貯氷容器２７は、扉２１が全開した状態で採氷スコップ２８を取り外せる位置で貯氷容器２７が止まるので、扉２１を全開放した状態で、貯氷容器２７の前面部と扉２１の間に隙間があき、収納されている採氷スコップ２８を簡単に取り出すことができるので、貯氷容器２７の外側前面部に収納された採氷スコップ２８を取り出すために、わざわざ貯氷容器２７を動かす必要もなく便宜性に優れている。
【００４５】
また、本実施の形態のように、冷蔵庫に自動製氷装置を適用することにより、製氷用の水が冷蔵室の冷却雰囲気下で予冷されるため製氷室の冷凍雰囲気下において効率よく製氷され、食品や飲料との関係が深い氷の利用の便宜を図ることができる。
【００４６】
また、製氷室の扉２１を引き出せば同時に貯氷容器２７が一体に引き出され、目より下の見渡しやすく取り出しやすい高さで使い勝手を高めることができる。
【００４７】
また、貯氷容器２７を透明にすることにより、使用者に与える清潔性も向上し、貯氷容器２７内の氷の状態も確認しやすくなるため使用上の便宜を図ることができる。
【００４８】
（実施の形態２）
図６は本発明の実施の形態２の冷蔵庫に使用する貯氷容器の斜視図である。
【００４９】
図６において、３７は貯氷容器であり区画壁３８で区画されている。３９は採氷スコップ２８を把持する貯氷容器３７外側前面に成型された採氷スコップ取り付け用のガイドである。
【００５０】
以上のように構成された、冷蔵庫について、以下その動作を説明する。
【００５１】
採氷スコップ２８の周縁部を貯氷容器３７のガイド３９にはめ込むとガイド３９と周縁部が嵌合し、採氷スコップ２８を貯氷容器３７の外側前面に取り付けられる。
【００５２】
尚、本実施の形態は複数の貯氷領域を持つ貯氷容器３７であるが、貯氷領域が１つの貯氷容器、或いは、貯氷領域を区画する区画壁が移動する場合などでも同等の効果が得られる。
【００５３】
（実施の形態３）
図７は、本発明の実施の形態３における冷蔵庫の製氷室の内部構成図である。
【００５４】
図７において、４０は、冷凍室扉２１と一体に取り付けられている支持部材である。４１は支持部材に載置している貯氷容器である。４２は引き出し式扉２１を引き出したときに、貯氷容器４１が遅れて引き出されるために支持部材４０を滑べるガイドであり、溝４２ａを有する。４２ｂは採氷スコップ２８がとりだせる位置にきたときに貯氷容器４１が引き出されるためのストッパーである。４３は支持部材４０に設けられたガイド４２と嵌合する突片部であり、溝４２ａを滑る。
【００５５】
以上のように構成された冷蔵庫について、以下その動作を説明する。
【００５６】
引き出し扉２１を引き出したときに貯氷容器４１に設けられた突片部４３は、支持部材４０のガイド４２の溝４２ａを滑り、貯氷容器４１は冷蔵庫庫内に残った状態になっている。更に、採氷スコップ２８が取り出される位置まで引き出すと、貯氷容器４１の突片部４３はガイド４２のストッパー４２ｂで止まり、引き出し扉２１と連動して庫外に引き出される。引き出し扉２１を閉めるときは、ガイド４２のストッパー４２ｂには傾斜が設けているため、使用者に違和感を与えることなく、貯氷容器４１は引き出し式扉２１と連携して庫内に収納される。
【００５７】
以上のように本実施の形態の冷蔵庫は、引き出し式扉２１の支持部材４０に貯氷容器４１の引き出し動作を遅らすためのガイド４２とストッパー４２ｂを設けたことにより、採氷スコップ２８が取り出すことができる位置まで引き出した後、引き出し式扉２１と連携して貯氷容器４１が引き出されるので、冷凍室２２を全て開放しなくてもどんな開放状態でも、採氷スコップ２８を取り出すのに貯氷容器４１を動かす必要がないため、利便性は高い。
【００５８】
（実施の形態４）
図８は、本発明の実施の形態４における冷蔵庫の複数の貯氷領域を持つ貯氷容器の分解斜視図である。
【００５９】
図８において、４４は貯氷容器であり複数の貯氷領域４４ａ，４４ｂに区画壁４５で区画されている。４６は採氷スコップを貯氷領域の一部に収納する収納スペースを仕切るための仕切り壁である。４４ｃは貯氷領域４４ａ側に成形された仕切り壁４６を嵌合するガイドであり、４４ｄは貯氷領域４４ｂ側に成形された仕切り壁４６を嵌合するガイドである。
【００６０】
以上のように構成された冷蔵庫について、以下その動作を説明する。
【００６１】
採氷スコップを貯氷領域４４ａに収納する場合、仕切り壁４６をガイド４４ｃに嵌め込むと収納スペースができる。採氷スコップを貯氷領域４４ｂに収納する場合、仕切り壁４６をガイド４４ｄに嵌め込むと収納スペースができる。
【００６２】
したがって、必要な貯氷領域４４ａ（４４ｂ）に採氷スコップの収納スペースが形成できる。
【００６３】
以上のように本実施の形態の冷蔵庫は、複数の貯氷領域４４ａ，４４ｂを仕切り壁４６により採氷スコップを収納する収納スペースを任意に成形できるため、複数の製氷皿の利用容量によって仕切り壁４６を利用の少ない貯氷領域を選んで配設することができるので、無駄のない貯氷容器４４の使い方ができるので使用者の利用状態で任意に貯氷容器の容量が変更でき便宜性が高い。
【００６４】
（実施の形態５）
図９は本発明による実施の形態５の冷蔵庫の要部断面図である。図１０は引き出し式扉の斜視図である。図１１は同実施の形態の冷蔵庫の正面からみた要部断面図である。
【００６５】
図９において、４７は冷凍室（以下、製氷室４７という）であり、断熱壁４８と扉４９によって囲まれ、外気と断熱されている。
【００６６】
５０は自動製氷装置であり、その構成を以下に説明する。
【００６７】
５１は可塑性樹脂のポリプロピレンで成形された製氷皿であり、５２は製氷皿５１を反転させて脱氷させる駆動装置である。
【００６８】
５３は製氷皿５１の下方に配置され脱氷された氷を貯える貯氷容器である。なお、貯氷容器５３は、容器内部を区分したもの、あるいは容量可動式のものでもかまわない。更になお、貯氷容器５４は透明の材質を用いてもかまわない。
【００６９】
図１０において、５４は製氷室４７の扉４９にビス等で取り付けられた一つの部品からなる支持部材である。なお、支持部材５４は扉４９と一体物で成形されていてもかまわない。
【００７０】
５５は支持部材５４を浮かせて保持する突起であり、５６は冷気対流用の流路孔であり貯氷容器５３の周囲の冷気対流をスムーズにしている。
【００７１】
図１１において、支持部材５４にはその側面の一部に滑車５７が取り付けられており、自動製氷装置５０の近傍の側壁５８に設けられた固定レール５９に滑車５７を回動可能に係合してレール機構６０を構成し、扉５５とともに貯氷容器５３を前後方向に移動可能にしている。
【００７２】
６１は一つのレール機構６０で移動する貯氷容器５３を平行に保つためのガイド機構であり、支持部材５４に取り付けられた突起部６２が冷蔵庫本体に設けられた溝６３に嵌り込んで支持部材５４を前後方向に摺動案内する構造になっている。
【００７３】
６４は真空断熱材であり、固定レール５９により側壁の断熱壁４８の壁厚が薄くなった箇所の外箱側に設置されている。
【００７４】
以上のように構成された冷蔵庫について、以下その動作を説明する。
【００７５】
製氷皿５１で氷が生成されると駆動装置５２により貯氷容器５３へ脱氷する。脱氷された氷を取り出すために製氷室４７の扉４９を引き出すと、扉４９に取り付けられた支持部材５４は、滑車５７により固定レール５９上を滑りだす。この支持部材５４に載置された貯氷容器５３は同時に製氷室４７より外部に引き出される。
【００７６】
このとき、ガイド機構６１の突起部６２が溝６３に沿って摺動し、支持部材５４が傾くことを防止する。
【００７７】
製氷室４７に流入した冷気は、流路孔５６を流路として貯氷容器５３の周囲を対流し流出される。
【００７８】
以上のように、本実施の形態の冷蔵庫は、支持部材５４の両側面にレール機構６０を設けなくても引き出し動作が可能であり、貯氷容器５３の側面の無効空間を減らすことができ、貯氷容器５３を製氷室４７内においてできるだけ幅を大きく構成することができ、氷の収納量を増やせるほか、製氷室４７の幅をコンパクトに構成して隣接する他室の有効容積を増加して収納性を高めることができる。
【００７９】
また、ガイド機構６１により引き出しは常に平行を保っているため、扉４９の開閉時に何らかの引き出し方向以外の力がかかったとしても、引き出し方向を調整できるため、常にスムーズに引き出しを開くことができる。
【００８０】
また、流路孔５６により冷気の対流がスムーズに図れるため、貯氷容器５３の大きさにかかわらず常に性能を確保することができ、品質を保持できる。
【００８１】
さらに、真空断熱材６４の高断熱性によって断熱壁４８の薄壁部が断熱強化され、固定レール５９を断熱壁４８中に食い込んで設置しても外部からの侵入熱量を低減でき、また結露などの問題発生も防止できるため、貯氷容器５３の拡幅が思い切って行え、一層収納効率を高めることができる。
【００８２】
また、貯氷容器５３を透明にすることにより、使用者に与える清潔性も向上し、貯氷容器内の氷の状態も確認しやすくなるため使用上の便宜を図ることができる。
【００８３】
また、支持部材５４と扉４９を一体物で成形することにより、部品点数が削減されるとともに、ビス等の取り付けによるバラツキも抑えることができる。更に、支持部材の支点である取り付け部に応力が集中することもなく、支点部分の応力を緩和できるため構造上強い構成がとれる。
【００８４】
（実施の形態６）
図１２は本発明による実施の形態６の冷蔵庫の正面からみた要部断面図である。
【００８５】
図１２において、６５は製氷室４７と隣接する他の貯蔵室であり、仕切り壁６６によって区画されている。６７はレール機構で仕切り壁６６の側面に配置された固定レール６８と支持部材５４の仕切り壁６６側に取り付けた滑車６９とで構成されている。
【００８６】
７０は支持部材５４の他側面側近傍の底面に設けたガイド機構であり、突起部７１と突起部７１が嵌め込まれて摺動する溝７２により構成されている。
【００８７】
以上のように、本実施の形態の冷蔵庫は、支持部材５４の両側面にレール機構６７を設けなくても引き出し動作が可能であり、貯氷容器５３の側面の無効空間を減らすことができ、貯氷容器５３を製氷室４７内においてできるだけ幅を大きく構成することができ、氷の収納量を増やせるほか、製氷室４７の幅をコンパクトに構成して隣接する他の貯蔵室６５の有効容積を増加して収納性を高めることができる。
【００８８】
また、ガイド機構７０により引き出しは常に平行を保ってるため、扉４９の開閉時に何らかの引き出し方向以外の力がかかったとしても、引き出し方向を調整できるため、常にスムーズに引き出しを開くことができる。
【００８９】
【発明の効果】
以上説明したように請求項１に記載の発明は、引き出し式の扉により前面の開口部が開閉される冷凍室と、前記冷凍室内に備えた製氷皿と、前記製氷皿で生成される氷を貯氷し、前記扉の前方への引き出し動作に連動して庫外に引き出される貯氷容器と、前記貯氷容器内の氷の採取に使用する採氷スコップとを収納した冷蔵庫において、前記扉の内壁と前記貯氷容器との間に前記採氷スコップを配置し、前記扉の内壁に前記採氷スコップが収納可能な凹部を設けたので、無駄なスペースが減り、貯氷容器の貯氷量を増やすことができ、氷を衛生的に保持できる。
【００９０】
また、請求項２に記載の発明は、請求項１に記載の発明において、採氷スコップは貯氷容器の外側前面に着脱可能に配設したので、採氷スコップを容易に取り出せ、使い勝手を向上できる。
【００９１】
また、請求項３に記載の発明は、請求項２に記載の発明において、採氷スコップは、貯氷容器の外側前面に設けた把持可能なガイドに取り付けるので、扉の内壁の凹部を、採氷スコップに合わせて小さくでき、扉の内壁の凹部による断熱性能の低下を抑えることができ、かつ採氷スコップを容易に取り出せる。
【００９２】
また、請求項４に記載の発明は、請求項１から請求項３のいずれか一項に記載の発明において、貯氷容器は引き出し扉に固定された支持部材に載置され、扉を引き出した時、前後方向に移動することで採氷スコップを着脱するので、採氷スコップを扉の凹部の外に容易に出すことができ、採氷スコップを貯氷容器の外側前面に設けた収容部に収容するという簡単で失敗の少ない作業で、採氷スコップを、貯氷容器の外側前面に配設することができる。
【００９３】
また、請求項５に記載の発明は、請求項４に記載の発明において、冷凍室の扉を引き出した時、扉内壁と貯氷容器前面の間に空間が生じ、採氷スコップが扉の内壁の凹部から出て前記空間に位置するので、扉を引き出す動作だけで採氷スコップを扉の凹部の外に出すことができ、採氷スコップを容易に取り出せ、貯氷容器を動かす必要もなく便宜性に優れている。
【００９４】
また、請求項６に記載の発明は、複数の貯氷領域に区画された貯氷容器と、前記貯氷容器に貯氷された氷の採取に使用する採氷スコップとを備え、前記貯氷領域における手前側の内壁面に前記採氷スコップを把持可能なガイドを設け、前記採氷スコップは、前記ガイドに取り付けたので、複数の貯氷領域内の貯氷していない貯氷領域もしくは氷の利用が少ない貯氷領域のガイドに採氷スコップを取り付けることにより、貯氷容器を有効活用できる。
【００９５】
また、請求項７に記載の発明は、引き出し式の扉により前面の開口部が開閉される冷凍室と、前記冷凍室内に備えた製氷皿と、前記製氷皿で生成される氷を貯氷する貯氷容器と、前記貯氷容器を載置して前記扉の前方への引き出し動作に連動して庫外に引き出される支持部材とを設けて、前記支持部材は一側面に設けたレール機構と他側面近傍の底面に設けたガイド機構により移動可能に構成されているので、レール機構が支持部材の両側面に突出しない分貯氷容器の幅を大きくでき収納量の大きな貯氷容器を確保できる。
【００９６】
また、請求項８に記載の発明は、請求項７に記載の発明において、レール機構が摺動する内壁面の内部に、レール機構に対向して真空断熱材を配置したものであり、支持部材が埋設されて薄くなった内壁部からの熱侵入を防ぎ、省エネルギー化や結露防止を図ることができる。
【図面の簡単な説明】
【図１】本発明の実施の形態１による冷蔵庫の要部縦断面図
【図２】同実施の形態の引き出し式扉と支持部材の斜視図
【図３】同実施の形態の冷蔵庫の支持部材に貯氷容器を載置した状態の平面図
【図４】同実施の形態の冷蔵庫における製氷室の側面図
【図５】同実施の形態の冷蔵庫における貯氷容器の斜視図
【図６】本発明の実施の形態２の冷蔵庫に使用する貯氷容器の斜視図
【図７】本発明の実施の形態３における冷蔵庫の製氷室の側面図
【図８】本発明の実施の形態４における冷蔵庫の複数の貯氷領域を持つ貯氷容器の分解斜視図
【図９】本発明の実施の形態５における冷蔵庫の製氷室の側面断面図
【図１０】同実施の形態の冷蔵庫の要部斜視図
【図１１】同実施の形態の冷蔵庫の要部正面断面図
【図１２】本発明の実施の形態６における冷蔵庫の要部正面断面図
【図１３】従来の冷蔵庫の縦断面図
【図１４】従来の冷蔵庫の引き出し式扉の分解斜視図
【符号の説明】
２１　扉
２７　貯氷容器
２８　採氷スコップ
２９　凹部
３０　支持部材
３３　ガイド部
３７　貯氷容器
３８　区画壁
４７　製氷室（冷凍室）
４９　扉
５３　貯氷容器
５４　支持部材
５８　側壁
６０　レール機構
６１　ガイド機構
６４　真空断熱材
６６　仕切り壁
６７　レール機構
７０　ガイド機構
【図１】
2004003780.tif 000003
【図２】
2004003780.tif 000004
【図３】
2004003780.tif 000005
【図４】
2004003780.tif 000006
【図５】
2004003780.tif 000007
【図６】
2004003780.tif 000008
【図７】
2004003780.tif 000009
【図８】
2004003780.tif 000010
【図９】
2004003780.tif 000011
【図１０】
2004003780.tif 000012
【図１１】
2004003780.tif 000013
【図１２】
2004003780.tif 000014
【図１３】
2004003780.tif 000015
【図１４】
2004003780.tif 000016